(57)【要約】【課題】  ＲＦＩＤタグが複数埋め込まれたラベルシートを印刷する際に、印刷装置は印刷シートに埋め込まれたＲＦＩＤタグから固体識別情報と属するラベルが印刷済であるかを示す情報を読み取り、それらの情報から印刷位置を決定し印刷するので、位置指定に、手間がかかっていた。【解決手段】  シート紙に配置された複数のＲＦＩＤタグから各ＲＦＩＤタグの固体識別情報を読み取る手段と、該複数の固体識別情報からシート紙上における画像形成をすべき位置を決定する手段とを設ける。【選択図】  図１
2006142602.tif 000002
【特許請求の範囲】
【請求項１】
シート紙に配置された複数のＲＦＩＤタグから各ＲＦＩＤタグの固体識別情報を読み取る手段と、
該複数の固体識別情報からシート紙上における画像形成をすべき位置を決定する手段と、
該決定された画像形成すべき位置に画像を形成することを特徴とする
画像形成装置。
【請求項２】
データ処理装置と画像形成装置からなる画像形成システムであって、
該画像形成装置はシート紙上に配置された複数のＲＦＩＤタグから各ＲＦＩＤタグの固体識別情報を読み取る手段と、
該複数の固体識別情報を該データ処理装置へ送信する手段とを有し、
該データ処理装置は送信された情報からシート紙上における画像形成をすべき位置を決定する手段と、
該画像を形成すべき位置情報と、画像情報を画像形成装置へ送信する手段とを有し、
該画像形成装置は送信された該画像を形成すべき位置情報と画像情報に従って、該シート上に画像を形成する手段を有することを特徴とする
画像形成システム。
【請求項３】
データ処理装置と画像形成装置からなる画像形成システムであって、
該画像形成装置はシート紙上に配置された複数のＲＦＩＤタグから各ＲＦＩＤタグの固体識別情報を読み取る手段と、
該複数の固体識別情報を該データ処理装置へ送信する手段とを有し、
該データ処理装置は送信された情報からシート紙上における画像形成をすべき位置を決定する手段と、
該画像を形成すべき位置情報に画像情報を配置した画像データを生成する手段と、
該画像データを画像形成装置へ送信する手段とを有し、
該画像形成装置は送信された画像データを、該シート上に形成する手段を有することを特徴とする
画像形成システム。
【請求項４】
シート紙に配置された複数のＲＦＩＤタグから各ＲＦＩＤタグの固体識別情報と各ＲＦＩＤタグの属するラベルが印刷済かどうかを示す情報とを読み取る手段と、
該複数の固体識別情報と各ＲＦＩＤタグの属するラベルが印刷済かどうかを示す情報とからシート紙上における画像形成をすべき位置を決定する手段と、
該決定された画像形成すべき位置に画像を形成すると共に対象ラベルのＲＦＩＤタグに印刷済されたことを示す情報を書き込むことを特徴とする
画像形成装置。
【請求項５】
データ処理装置と画像形成装置からなる画像形成システムであって、
該画像形成装置はシート紙上に配置された複数のＲＦＩＤタグから各ＲＦＩＤタグの固体識別情報と各ＲＦＩＤタグの属するラベルが印刷済かどうかを示す情報とを読み取る手段と、
該複数の固体識別情報と各ＲＦＩＤタグの属するラベルが印刷済かどうかを示す情報とを該データ処理装置へ送信する手段とを有し、
該データ処理装置は送信された情報からシート紙上における画像形成をすべき位置を決定する手段と、
該画像を形成すべき位置情報と、画像情報を画像形成装置へ送信する手段とを有し、
該画像形成装置は送信された該画像を形成すべき位置情報と画像情報に従って、該シート上に画像を形成すると共に対象ラベルのＲＦＩＤタグに印刷されたことを示す情報を書き込む手段を有することを特徴とする
画像形成システム。
【請求項６】
データ処理装置と画像形成装置からなる画像形成システムであって、
該画像形成装置はシート紙上に配置された複数のＲＦＩＤタグから各ＲＦＩＤタグの固体識別情報と各ＲＦＩＤタグの属するラベルが印刷済かどうかを示す情報とを読み取る手段と、
該複数の固体識別情報を該データ処理装置へ送信する手段とを有し、
該データ処理装置は送信された情報からシート紙上における画像形成をすべき位置を決定する手段と、
該画像を形成すべき位置情報に画像情報を配置した画像データを生成する手段と、
該画像データを画像形成装置へ送信する手段とを有し、
該画像形成装置は送信された画像データを、該シート上に形成すると共に対象ラベルのＲＦＩＤタグに印刷されたことを示す情報を書き込む手段を有することを特徴とする
画像形成システム。
【発明の詳細な説明】
【技術分野】
【０００１】
ＲＦＩＤタグを伴うラベルシートに可視情報を印刷するための印刷装置に関する発明である。またＲＦＩＤタグを伴うラベルシートに可視情報を印刷するための印刷装置を含めたシステムにも関する発明である。
【背景技術】
【０００２】
ＲＦＩＤとは微小なＩＣチップに製品の個別情報を格納し、無線を利用して情報の読み取りや更新などを行う無線認証システムのことであり、既にプリペイド式乗車券、食堂や回転寿司店での無人清算システム等に使用され、今後も流通分野を中心に利用が拡大されると思われる。
【０００３】
非接触で複数のＲＦＩＤタに対しての読み書きができるため業務用の商品の管理などに現状は用いられるが、ＲＦＩＤタグ、その情報を読み書きするＲＦＩＤリーダ・ライタのコストが十分に下がれば個人利用を前提としてＲＦＩＤタグを内包したラベル、タグ等が利用されるとことになると予想される。
【０００４】
一般にラベル用紙としてはＡ４シートを横３列縦５段に分割されたものが多い。そのようなラベルシートに文字画像などを印刷する場合はユーザがＰＣから位置情報を指定し、印刷されるラベルを決定していた（特許文献１参照）。
【特許文献１】特開２００１−１１６５８３号公報
【発明の開示】
【発明が解決しようとする課題】
【０００５】
しかしながら、従来の方法では、次のような不都合を生じていた。
【０００６】
すなわちユーザがラベルの使用状況を調べてから印字位置を指定する必要がありその作業が煩雑であったことである。
【０００７】
本発明は、かかる実情に鑑みてなされたものである。
【課題を解決するための手段】
【０００８】
本発明はかかる問題を解決するために、個々の電子文書に対応付けられたメンバーの集合にその電子文書の出力を行ったユーザを加える手段を設ける。また、ある範囲の物理的領域の物理文書を検知する手段を設けて、その検知手段に検出されれば検知手段に対応する一人以上のユーザを上記メンバーに加える手段を設ける。また、検知されなければその検知手段に対応する一人以上のユーザを上記メンバーから除く手段を設ける。
【発明の効果】
【０００９】
以上、説明したように本発明によればユーザにとってラベル印刷をする際の利便性を向上させる効果があると共に、ミス印刷の可能性を減少させるのでラベルをラベル資源を使用効率が向上する。
【発明を実施するための最良の形態】
【００１０】
本実施例の構成を説明する前に、本実施例を適用するに好適なインクジェット記録装置（ＩＪＲＡ）について図２を参照しながら説明する。なお本実施例を適用するプリンタはインクジェットプリンタに限られるものではなく、他のプリント方式のプリンタでも良いことは言うまでも無い。
【００１１】
図２は本発明を適用可能な出力装置の構成を示す概観図であり、インクジェット記録装置の場合を示す。
【００１２】
同図において、駆動モータ５０１３の正逆回転に連動して駆動力伝達ギア５０１１、５００９を介して回転するリードスクリュー５００５の螺旋溝５００４に対して係合するキャリッジＨＣには、インクジェットカートリッジＩＪＣが搭載されている。５００２は紙押さえ板であり、キャリッジ移動方向にわたって紙をプラテン５０００に対して押し圧する。５００７、５００８はフォトカプラで、キャリッジのレバー５００６のこの域での存在を確認して、モータ５０１３の回転方向切り替えなどを行うためのホームポジション検知手段として機能する。５０１６は記録ヘッド前面をキャップするキャップ部材５０２２を指示する部材である。５０１５はこのキャップ内を吸引する吸引手段でありキャップ内開口５０２３を介して記録ヘッドの吸引回復を行う。５０１７はクリーニングブレードで、部材５０１９により前後方向に移動可能となる。５０１８は本体支持板で、上記クリーニングプレート５０１７、部材５０１９を支持する。５０１２は、吸引回復の吸引を開始するためのレバーで、キャリッジＨＣと係合するカム５０２０の移動に伴って移動し、駆動モータからの駆動力がクラッチ切り換えなどの公知の伝達手段で移動制御される。
【００１３】
これらのキャッピング、クリーニング、吸引回復は、キャリッジＨＣがホームポジション側領域にきたときにリードスクリュー５００５の作用によってそれらの対応位置で所望の処理が行えるように構成されているが、周知のタイミングで所望動作を行うように構成されていれば良い。
【００１４】
図１は、図２に示したインクジェット記録装置とパーソナルコンピュータ（ＰＣ）の制御構成を説明するブロック図である。
【００１５】
同図において、１７００は記録信号を入力するインターフェイス、１７０１はＭＰＵ、１７０２は前記ＭＰＵ１７０１が実行する制御プログラムや図５、図６のフローチャート内の印刷装置が実行する動作を格納するＲＯＭ、１７０３はＤＲＡＭで、各種データ（上記記録信号やヘッドに供給される記録データなどを）保存しておく。１７０４は記録ヘッド１７０８に対する出力データの供給制御を行うゲートアレイで、インターフェイス１７００、ＭＰＵ１７０１、ＤＲＡＭ１７０３間のデータの転送制御も行う。１７１０は前記記録ヘッド１７０８を搬送するためのキャリアモータ、１７０９は記録用紙搬送のための搬送モータ、１７０５前記記録ヘッドを駆動するヘッドドライバ、１７０６は前記搬送モータ１７０９を駆動するモータドライバ、１７０７は前記キャリアモータ１７１０を駆動するモータドライバである。５００はＲＦＩＤタグに対して情報をリードライトするＲＦＩＤリーダ・ライタである。
【００１６】
また、図において３０００はホストコンピュータで、ＤＲＡＭのプログラム領域３に記憶された文書処理プログラムなどに基づいて図形、イメージ、文字、表（表計算を含む）等が混在した文書処理を実行するＣＰＵ１が総括的に制御する。
【００１７】
また、このＤＲＡＭのプログラム領域３には、図５、６のフローチャートのＰＣが実行する動作を記憶する。２はＤＲＡＭのワーク領域であり、ＣＰＵ１の主メモリ、ワークエリア等として機能する。５はキーボードコントローラ（ＫＢＣ）であり、キーボード９や不図示のポインティングデバイスからのキー入力を制御する。６はＣＲＴコントローラ（ＣＲＴＣ）で、ＣＲＴディスプレイ（ＣＲＴ）１０の表示を制御する。７はディスクコントローラ（ＤＫＣ）で、ブートプログラム、種種のアプリケーション、フォントデータ、ユーザファイル、編集ファイルなどを記憶するハードディスク（ＨＤ）、フロッピー（登録商標）ディスク（ＦＤ）等の外部メモリ１１とのアクセスを制御する。８はプリンタコントローラ（ＰＲＴＣ）で、所定の双方向性インターフェイス（インターフェイス）２１を介してプリンタ１５００に接続されて、プリンタ１５００との通信制御処理を実行する。なお、ＣＰＵ１は、例えばＤＲＡＭ２上に設定された表示情報用エリアへのアウトラインフォントのラスタライズ処理を実行し、ＣＲＴ１０上でのＷＹＳＩＷＹＧを可能としている。また、ＣＰＵ１は、ＣＲＴ１０上の不図示のマウスカーソルなどで支持されたコマンドに基づいて登録された種種のウインドウを開き、種種のデータ処理を実行する。
【００１８】
図３において、ＲＦＩＤタグ６００の詳細な説明を行う。ＲＦＩＤタグ６００は、６０１の不揮発性メモリ、６０２の電波を送受信するためのアンテナ部と、６０３の共振コンデンサ部、６０４の電源の整流・平滑を行うための電力形成部と、６０５の電波の変調、復調を行うための復変調部、６０６の制御部とから構成される。
【００１９】
６０２のアンテナ部は、６０３の共振コンデンサと組み合わされ、共振回路を構成できるようになっている。外部から電力を供給するための電波信号が送られることにより、これを共振回路でうけとって、前記６０４に示される電力形成部へ供給し、６０４の電力生成部は６００のＲＦＩＤタグを動作させるための電力を供給することが可能となる。前記電力は、６０１の不揮発性メモリや、６０５の復変調回路へ供給される。６０６の制御部は、６００のＲＦＩＤタグの制御を行うためのものである。
【００２０】
外部から、電力を供給するための電波とあわせて、ＲＦＩＤタグから読み出す、または書き着込むためのデータも同時に送受信され、６００のＲＦＩＤタグへ送られてきた信号は、６０５の復変調回路によって、復調され６０６の制御部を介して、６０１の不揮発性メモリへ記憶される。また、６０６の制御部によって、６０１の不揮発性メモリから読み出されたデータは、６０５の復変調回路によって変調され、６０２のアンテナ部から電波信号として送信可能である。
【００２１】
図７は本実施例で使用されるＲＦＩＤタグ付きシート紙を説明する図である。
【００２２】
シート紙７００内には横３列縦５段の計１５個のラベル用域を有している。７０１のグレーの領域はラベルが使用された領域であることを示している。それ以外の領域での、例えばラベル７０２はＲＦＩＤタグ７０３を内包していて、各ＲＦＩＤタグはラベルごとに固有の識別番号を保持している。またＲＦＩＤタグには識別番号以外に付加情報を書き込み可能であり、本実施例においてはタグが属するラベルに印刷がされたときはその旨の情報が付加される。例えば同図においてはラベル７０４が内包するＲＦＩＤタグに印刷済情報を示す情報が書き込まれている。
【００２３】
図４において、ＲＦＩＤタグの読み取り、または書き込みを行うためのリーダライタ部５００の詳細な説明を行う。リーダライタ部５００は、６００のＲＦＩＤタグ部に対して電波を送信するための送信アンテナ部５０１と、送信アンテナから送信する電波の変調を行うための変調回路５０２と、６００のＲＦＩＤタグ部から送られてくる電波を受信するための受信アンテナ部５０３、５０３の受信アンテナ部より受信した信号を復調するための復調回路５０４、また５０１の送信アンテナ部と、５０２の変調回路、５０３の受信アンテナ部、５０４の復調回路を制御するための制御部５０５と、上位機器との通信を行うＩ／Ｆ部５０６と、送信アンテナ部５０１に接続され、６００のＲＦＩＤタグへの電力供給を行う電源５０７から構成される。
【００２４】
前記制御部５０５は、外部からの指示により５０２の変調回路を用いて電力を供給するための電波および、送信するデータを変調して、５０１の送信アンテナ部より外部へ電波を送信する。また、外部より受信した電波信号を、５０３の受信アンテナ部で受信して、５０４の復調回路によって復調したのち、データ信号として扱えるように変換することが可能である。
【００２５】
以上のように記録された上記記録装置からなるシステムにおいて、第１の実施形態の動作を図５のフローチャートに従って説明する。
【００２６】
本実施形態についてはＲＦＩＤリーダ・ライタ５００はライト動作を行う例であり、かつプリンタ１５００が印刷位置を決定する形態である。つまり、ラベルのＲＦＩＤタグにはそのラベルが既に印刷されたかどうかの情報は記録されている。これはプリンタ１５００が印刷位置を決定するかどうかの形態とは無関係なので、ＲＦＩＤタグに印刷済情報を残しかつＰＣ３０００が印刷位置を決定する形態も有り得ることは言うまでも無い。
【００２７】
まずステップ５０１としてホストコンピュータであるＰＣ３０００が印刷装置１５００に対して画像データを送信する。ここでＰＣ３０００側ではシート紙上のどの位置に印刷させるかは管理していないのが特徴である。次にステップ５０２としてプリンタ１５００内のＭＰＵ１７０１はこれから印刷されるシート紙上のＲＦＩＤタグをリードし、シート紙上に残存しているラベルの識別番号、そのラベルは印刷済であるかどうかの情報を収集する。各ラベルの識別番号とラベルの位置との関連性は予め定められているのでＭＰＵ１７０１は識別番号とその識別番号に関連付けられて読み取られた印刷済属性情報から、シート紙上に未印刷のラベルがあるかどうかを判断し（ステップ５０３）、ある場合はそのうちの一つを選択し印刷位置を決定できる（ステップ５０４）。
【００２８】
未印刷のラベルが無い場合は印刷できないので層の旨をＰＣ３０００に返信し（ステップ５０６）、ＰＣ内のＣＰＵ１はＣＲＴ１０をもってして印刷付加であることをユーザに通知する（ステップ５０７）。
【００２９】
印刷可である場合はステップ５０５にとして先に受信した印刷データをステップ５０４にて決定された印刷位置に印刷し、さらに対応するＲＦＩＤタグにのみ印刷済の属性を書き込み、将来の印刷に備え終了する。ここで印刷位置はＰＣ３０００に通知しＣＲＴ１０の表示手段を介してユーザへ知らしめても良い。
【００３０】
他の実施形態の動作例を図６のフローチャート従って説明する。
【００３１】
本実施形態についてはＲＦＩＤリーダ・ライタ５００はライト動作を行わない例であり、かつＰＣ３０００が印刷位置を決定する形態である。つまり、ラベルのＲＦＩＤタグにはそのラベルが既に印刷されたかどうかの情報は記録されていない。これはＰＣ３０００が印刷位置を決定するかどうかの形態とは無関係なので、ＲＦＩＤタグに印刷済情報を残しかつＰＣ３０００が印刷位置を決定する形態も有り得ることは言うまでも無い。
【００３２】
まずステップ６０１としてＰＣ３０００はプリンタ１５００へシート紙上のラベルの状態を要求する。プリンタ１５００は要求に対してＲＦＩＤリーダライタ５００を駆動してラベル上のＲＦＩＤタグの識別情報を収集し、ＰＣ３０００へ全て返信する。各ラベルの識別番号とラベルの位置との関連性は予め定められ、外部メモリ１１内に記憶されているのでＰＣ３０００内のＣＰＵ１は存在するラベルの位置を知ることができる。また過去に印刷済のラベル情報を外部メモリ１１に記憶しておけばその履歴と照合することによりＣＰＵ１は、第１の実施形態と同様に印刷済のラベルの位置も知ることができるが、本実施形態では簡単のためラベルの在る無しをチェックするだけとする。
【００３３】
以上の工程からＣＰＵ１は印刷予定個所を仮決定し（ステップ６０３）、それをＣＲＴ１０上にグラフィック・ユーザ・インターフェイスを用いてＧＵＩを用いて表示する。ユーザは印刷予定個所を承認すればそのまま位置が確定するが（ステップ６０７）、ステップ６０６において印刷個所を変更することも可能である。
【００３４】
印刷位置が確定すればＣＰＵ１はそれに基づいて印刷データを生成する（ステップ６０８）。この印刷データにはシート紙内における印刷位置の情報が含まれているので、ＰＣ３０００が印刷装置１５００へデータを送信した後（ステップ６０９）、印刷装置は所望のラベルに印刷を行うことができる（ステップ６１０）。
【００３５】
ステップ６０８で生成された印刷画像は部分的な画像の情報と位置情報を組み合わせたものでも、１ページ分の画像情報でもどちらでも良い。
【図面の簡単な説明】
【００３６】
【図１】本発明を実施した記録装置とパーソナルコンピュータ（ＰＣ）の制御構成を説明するブロック図である。
【図２】本発明を実施するに好適な出力装置の構成を示す概観図である。
【図３】本発明で用いたＲＦＩＤタグの詳細を説明する図である。
【図４】本発明で用いたＲＦＩＤリーダライタの詳細を説明する図である。
【図５】本発明の第１の実施形態の動作を説明するフローチャート図である。
【図６】本発明の第２の実施形態の動作を説明するフローチャート図である。
【図７】本発明で使用されるシート紙を説明する図である。
【図１】
2006142602.tif 000003
【図２】
2006142602.tif 000004
【図３】
2006142602.tif 000005
【図４】
2006142602.tif 000006
【図５】
2006142602.tif 000007
【図６】
2006142602.tif 000008
【図７】
2006142602.tif 000009